(57)【要約】【課題】無線回線に接続して動作する通話機能を有すると共にデータ通信装置に接続された時に無線アダプタとして動作する無線電話装置、前記無線電話装置と接続して無線回線にてデータ通信を行うデータ通信装置において、無駄な操作を省き使い勝手の良い無線電話装置、データ通信装置を提供する。【解決手段】通話中の無線電話装置をデータ通信装置に接続した時に送信原稿がセットされていたり送信データが蓄積されているとデータ通信装置はデータ送信動作を即座に行う手段や、送信原稿がセットされていなかったり送信データが蓄積されていなかったりするとデータ通信装置はデータ受信動作を行う手段を備える。【選択図】        図１
2004320334.tif 000002
【特許請求の範囲】
【請求項１】
無線回線に接続して動作する通話機能を有すると共にデータ通信装置に接続された時に無線アダプタとして動作する無線電話装置、前記無線電話装置と接続して無線回線にてデータ通信を行うデータ通信装置において、
無線電話装置が無線による呼を接続して通話中にデータ通信装置に接続されるとデータ通信装置はそれを検出する手段、
データ通信装置は送信原稿読み取り部に送信原稿がセットされていることを検出する手段、
データ通信装置は通話中の無線電話装置が接続したことを検出し、かつ送信原稿がセットされていることを検出すると、送信原稿を読み取って送信データに変換して通話を行っていた相手へ送信する手段を備えることを特徴とする無線電話装置、データ通信装置。
【請求項２】
請求項１において、
データ通信装置は通話中の無線電話装置が接続したことを検出し、かつ送信原稿がセットされていないことを検出すると、通話を行っていた相手からデータ受信動作を行う手段を備えることを特徴とする無線電話装置、データ通信装置。
【請求項３】
無線回線に接続して動作する通話機能を有すると共にデータ通信装置に接続された時に無線アダプタとして動作する無線電話装置、前記無線電話装置と接続して無線回線にてデータ通信を行うデータ通信装置において、
無線電話装置が無線による呼を接続して通話中にデータ通信装置に接続されるとデータ通信装置はそれを検出する手段、
データ通信装置は送信データを蓄積する手段、
データ通信装置は通話中の無線電話装置が接続したことを検出し、かつ送信データが蓄積されていることを検出すると、蓄積されている送信データを通話を行っていた相手へ送信する手段を備えることを特徴とする無線電話装置、データ通信装置。
【請求項４】
請求項３において、
データ通信装置は通話中の無線電話装置が接続したことを検出し、かつ送信データが蓄積されていないことを検出すると、通話を行っていた相手からデータ受信動作を行う手段を備えることを特徴とする無線電話装置、データ通信装置。
【請求項５】
請求項３において、
蓄積された送信データはあらかじめ送信原稿読み取り部にて送信原稿を読み取り送信データに変換して蓄積した送信データであることを特徴とするデータ通信装置。
【請求項６】
請求項３において、
蓄積された送信データはデータ通信装置に接続するコンピュータのデータをあらかじめ蓄積した送信データであることを特徴とするデータ通信装置。
【請求項７】
請求項３において、
蓄積された送信データはデータ通信装置に接続するローカルエリアネットワーク（以下ＬＡＮ）から受信したデータをあらかじめ蓄積した送信データであることを特徴とするデータ通信装置。
【請求項８】
請求項１〜４において、
通話モードの無線電話装置はデータ通信装置と接続されたことを検出する手段と、
データ通信装置と接続されたことを検出するとデータ通信モードとなる手段と、
データ通信装置と接続されたことを検出しないと通話モードを維持する手段を備えることを特徴とする無線電話装置。
【発明の詳細な説明】
【０００１】
【発明の属する技術分野】
本発明は、屋内外で公衆、あるいは自営の無線回線に接続されて動作する通話機能を有すると共にデータ通信装置に接続された時に無線アダプタとして動作する無線電話装置、前記無線電話装置と接続して無線回線にてファクシミリ通信などのデータ通信を行うデータ通信装置に関する。
【０００２】
【従来の技術】
近年、無線携帯電話機やＰＨＳ（Ｐｅｒｓｏｎａｌ  Ｈａｎｄｙ−ｐｈｏｎｅＳｙｓｔｅｍ）電話機の普及は目覚ましく、各一人が一台以上を所有する勢いである。例えば、利用者は無線電話装置を携帯して持ち歩くことができるので、いつでも、どこでもダイヤル、発呼して、あるいは着呼を受けて、電話による会話を行うことが可能であり、大変便利である。
【０００３】
またＰＨＳは通話用の簡易な携帯電話機としての利用だけでなく、回線品質が良いデジタルデータ伝送にも適している。したがって、ＰＨＳの無線チャネルを使用したデータ通信の利用方法も提案されてきている。
【０００４】
例えば、ＰＤＣ方式を用いた日本の無線携帯電話もデータ速度はＰＨＳより遅いが、データ通信が可能である。
【０００５】
将来の無線携帯電話としては、例えばＣＤＭＡ（符号分割多元接続）方式を応用した無線方式がいくつか提案されていて、すでにサービスが開始されているものもある。この場合は、さらに帯域幅の広い高速なデータ通信が期待されている。
【０００６】
一方、一般に公衆回線に接続し構内の内外と通信が可能なデータ通信装置として代表的なファクシミリ装置の普及はかなり高く手軽に原稿を送受信することができるので、その利用も衰えることはない。
【０００７】
また更にデータ通信装置としては、現在はパーソナルコンピュータなどの情報端末にモデムを接続してパーソナルコンピュータ上のデータやファイルを送受信する用途の利用が伸びている。
【０００８】
ファクシミリ通信を無線で行う場合、特にＧ３ファクシミリ通信では無線通信方式のうち音声信号を送受信する方法でモデムアナログ信号を送受信する方法が一般的である。また、前述のような無線電話装置とファクシミリ装置を組み合わせて無線回線によってファクシミリなどのデータ通信を行う提案が、特開平７−９９６８６公報や特開平８−１８１８０７公報、特開平１０−１６４２４７公報によりなされている。
【０００９】
一方、例えばファクシミリ装置をパーソナルコンピュータに接続してパーソナルコンピュータから受け取ったファクシミリデータをファクシミリ装置から送信したり、パーソナルコンピュータからデータを受け取ってファクシミリ装置にてファクシミリデータへ変換して送信したりする提案もなされている。
【００１０】
また、例えばファクシミリ装置をＬＡＮに接続してＬＡＮを経由して受け取ったファクシミリデータをファクシミリ装置から送信したり、ＬＡＮを経由してデータを受け取ってファクシミリ装置にてファクシミリデータへ変換して送信したりする提案もなされている。
【００１１】
【発明が解決しようとする課題】
しかしながら、屋内外で公衆、あるいは自営の無線回線に接続されて動作する通話機能を有すると共にデータ通信装置に接続された時に無線アダプタとして動作する無線電話装置、前記無線電話装置と接続して無線回線にてファクシミリ通信などのデータ通信を行うデータ通信装置において、データ通信を行うための操作は煩雑であり、使い勝手が非常に悪い。特に、無線電話装置で操作をするのか、データ通信装置で操作をするのか、使用者はわからず困る可能性が高い。
【００１２】
本発明は、上記課題を解決し、使用者の使い勝手の良い無線電話装置、データ通信装置を提供することにある。
【００１３】
【課題を解決するための手段】
本発明は、無線回線に接続して動作する通話機能を有すると共にデータ通信装置に接続された時に無線アダプタとして動作する無線電話装置、前記無線電話装置と接続して無線回線にてデータ通信を行うデータ通信装置において、通話中の無線電話装置をデータ通信装置に接続した時に送信原稿がセットされていたり送信データが蓄積されているとデータ送信動作を即座に行う手段や、送信原稿がセットされていなかったり送信データが蓄積されていなかったりするとデータ受信動作を行う手段を上記無線電話装置、データ通信装置が有するものである。
【００１４】
【発明の実施の形態】
以下に本発明の実施例を図を参照しながら説明する。
【００１５】
本発明の第一の実施例は、無線回線に接続して動作する通話機能を有すると共にデータ通信装置としてのファクシミリ装置に接続された時に無線アダプタとして動作する携帯可能な無線電話装置、前記無線電話装置と接続して無線回線にてデータ通信の一つとしてファクシミリ通信を行うファクシミリ装置において、無線電話装置が無線による呼を接続して通話中にファクシミリ装置に接続されるとファクシミリ装置はそれを検出し、ファクシミリ装置はその読み取り部にて送信原稿がセットされているかどうか、データ蓄積部に送信すべきデータが蓄積されているかを検出して、その検出結果によりファクシミリ送信動作を実施するか、ファクシミリ受信動作を実施するかを判断して、その判断結果に基づいてファクシミリ通信を行う例を示す。
【００１６】
図１は、本発明の第一の実施例による無線電話装置、ファクシミリ装置を示す構成図である。
【００１７】
ファクシミリ装置１０１は無線電話装置１０３を接続するための無線電話装置接続部１０２を有する。無線電話装置接続部１０２はファクシミリ装置１０１に内蔵しても良いし、ファクシミリ装置１０１の外部に構成して通常のファクシミリ装置に後から接続して使用するようにしてもよい。ファクシミリ装置１０１は別にＰＳＴＮやＩＳＤＮなどの有線回路に接続できて動作するようにしてもよい。
【００１８】
無線電話装置１０３はファクシミリ装置１０１の接続部を内蔵する。
【００１９】
図１−Ａはファクシミリ装置１０１と無線電話装置１０３が接続されていなくて、無線電話装置１０３は無線回線１０４と接続して通話機能が動作できる状態とする。
【００２０】
図１−Ｂはファクシミリ装置１０１と無線電話装置１０３が接続されていて、無線電話装置１０３は無線アダプタ機能が動作し、ファクシミリ装置１０１は無線電話装置１０３を介して無線回線１０４を接続しファクシミリ通信を行うものとする。
【００２１】
ここで無線回線の方式はＰＨＳ方式であるとする。ただし、同様の他の方式でもよい。例えば現状一般の携帯無線電話方式であるＰＤＣ方式やＣＤＭＡ方式を応用した将来の携帯無線電話方式でもよい。
【００２２】
また例えば、欧州で開発されたＤＥＣＴ（Ｄｉｇｉｔａｌ  ＥｕｒｏｐｅａｎＣｏｒｄｌｅｓｓ  Ｔｅｌｅｐｈｏｎｅ）方式やＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）方式でも本発明を適用することは可能である。
【００２３】
図２は、本発明の第一の実施例による無線電話装置の構成を示すブロック図である。無線電話装置はそれぞれ、音声を入出力するマイク２０１、スピーカ２０２、マイク２０１から入力された音声信号を無線通信チャネルで送信するためにＡＤＰＣＭコードに変換する、あるいは受信したＡＤＰＣＭコード音声データをスピーカから出力するためにアナログ信号に変換するためのＡＤＰＣＭコーデック２０３、音声データや情報データをＰＨＳの通信方式に適合したデータに変換する、あるいは受信したデータを音声データや情報データとして抽出するチャンネルコーデック２０４、無線回線１０４との無線通信接続のためのアンテナ２０６や電気素子で構成する無線通信部２０５、操作のための複数のキースイッチ２１０、使用者が無線電話装置の状態などの確認を行うためのＬＣＤやＬＥＤで構成する表示部２１１、子機全体を制御するＣＰＵ２０７、ＣＰＵを動作させ無線電話装置全体を制御するプログラムやパラメータを格納するＲＯＭ２０８、無線電話装置全体を制御するパラメータの一次格納や送受信するデータの一次格納を行うＲＡＭ２０９、データ通信装置であるファクシミリ装置と接続するための通信装置ｉ／ｆ部２１２とコネクタ２１３で構成する。
【００２４】
図３は、本発明の第一の実施例によるファクシミリ装置１０１および無線電話装置接続部１０２の構成を示すブロック図である。
【００２５】
ここでファクシミリ装置１０１は一般に広く使われているファクシミリ装置に無線電話装置１０３が接続できるように改良したものである。すなわち、装置の制御を行うＣＰＵ３０１、装置制御のプログラムを格納するＲＯＭ３０２、ＣＰＵ３０１の動作や装置の動作に必要なパラメータやデータ、また送信や受信する画像データやデータファイル、文字コード形式などを格納するＲＡＭ３０３、使用者が装置動作を指定するため装置を操作したり装置の状態を表示したりする操作パネル３０４、ファクシミリ送信原稿や複写原稿をカラー画像または白黒画像として読み取るための読み取り部３０５、ファクシミリ受信原稿や複写原稿、あるいはファイル原稿をカラーまたは白黒でプリントアウトするための記録部３０６、Ｇ３／Ｇ４などのファクシミリ送受信のための通信プロトコルの制御や送受信、信号の変復調の制御、ＰＳＴＮやＩＳＤＮなどの公衆回線３０８に接続し発呼制御や着呼検出など行う通信制御ユニット３０７に加えて、無線電話装置１０２の構成部として無線電話装置１０３と接続するための無線電話装置ｉ／ｆ部３０９とコネクタ３１０で構成する。また、使用者を呼び出すための音を鳴動させるスピーカ３１１がＣＰＵ３０１に接続されていて、ＣＰＵのアウトポートの制御により可聴音を発生する。
【００２６】
無線電話装置ｉ／ｆ部３０９はファクシミリプロトコル信号やファクシミリ画像信号などを無線電話装置１０３を介して無線通信を行うために、通信制御ユニット３０７のＧ３モデムの入出力信号線に接続されているものとする。
【００２７】
またここでは、スタンドアローンのファクシミリ装置の構成を示したが、ファクシミリ通信機能を持った装置であれば、いかなるものも適用可能である。例えばパーソナルコンピュータなどの情報端末装置上に通信機能を持ったハードウェアとファクシミリ機能を持ったアプリケーションソフトを搭載して実現したファクシミリ装置でもよい。あるいは、複写機やプリンタ、スキャナなどの入出力装置にファクシミリ機能を持ったものでもよい。
【００２８】
ここで、無線電話装置１０３とファクシミリ装置１０１を接続するためのそれぞれの接続部をさらに説明する。
【００２９】
無線電話装置１０３の通信装置ｉ／ｆ部２１２とコネクタ２１３と、ファクシミリ装置１０１の無線電話装置ｉ／ｆ部３０９とコネクタ３１０は、無線回線１０４を介して送受信するファクシミリ信号をやり取りするアナログ信号線と、無線装置１０３とファクシミリ装置１０１との間でコマンド信号、レスポンス信号、ステータス信号などをやり取りするデジタル信号線を持つものとする。デジタル信号線はシリアルｉ／ｆやパラレルｉ／ｆなどデジタル汎用ｉ／ｆで十分である。
【００３０】
また、ここでファクシミリ装置１０１は無線電話装置１０３を介してファクシミリ通信ができるので、通信制御ユニット３０７にはＰＳＴＮやＩＳＤＮなどの公衆回線３０８に接続し発呼制御や着呼検出など行う機能はなくてもよい。
【００３１】
以上の場合に、無線電話装置１０３とファクシミリ装置１０１の接続の有無は、コネクタ２１３が接続されているかいなかの検知や、デジタルｉ／ｆ上の信号の有無の検知、ファクシミリ信号の有無の検知、あるいは専用のメカ的なスイッチを無線電話装置１０３に持ち接続がそのスイッチのオン、オフに同期して動作するようにして検出するなどで行うものとする。
【００３２】
次に、本発明の第一の実施例による無線電話装置やファクシミリ装置の各動作や装置機器間の信号シーケンスを図４、図５で、無線電話装置１０３の動作を図６で、ファクシミリ装置１０１の動作を図７を参照しながら説明する。さらには、図６は無線電話装置１０３の動作を表わすフローチャート、すなわちＣＰＵ２０７の動作フローチャート、ＲＯＭ２０８に格納するＣＰＵ２０７の動作制御プログラムシーケンスであり、図７はファクシミリ装置１０１の動作を表わすフローチャート、すなわちＣＰＵ３０１の動作フローチャート、ＲＯＭ３０２に格納するＣＰＵ３０１の動作制御プログラムシーケンスである。
【００３３】
まず、図６に示すステップＳ６０１において、無線電話装置１０３は通話モードでありすなわち使用者は無線電話装置１０３を使用して相手と通話中であるとする。具体的には無線電話装置１０３はファクシミリ装置１０１と接続されておらず単体で動作しており、通話が可能になるように無線回線１０４を接続してＡＤＰＣＭコーデック２０３の通信装置ｉ／ｆ部の入出力パスを遮断して、マイク２０１、スピーカ２０２の入出力を可能になるようにしている。
【００３４】
次に、ステップＳ５０２において、無線電話装置１０３の使用者が無線電話装置１０３をファクシミリ装置１０１に接続したかどうかを検出する。すなわち、コネクタ２１３が接続されているかいないかの検知や、通信装置ｉ／ｆ部２１２でやり取りするファクシミリ装置１０１からの信号の有無の検知、あるいは専用のメカ的なスイッチをコネクタ２１３に持ち前記の接続がそのスイッチのオン、オフに同期して動作するようにして検出するなどの方法の一部か全部で、無線電話装置１０３がファクシミリ装置１０１に接続されたかどうかを検出する。
【００３５】
ここで、無線電話装置１０３とファクシミリ装置１０１の接続はケーブルを介して行っても良い。
【００３６】
ステップＳ５０２において、無線電話装置１０３がファクシミリ装置１０１に接続されたことを検出されなければ、ステップＳ６０３において、通話終了操作がなされたかどうかを監視し、通話終了操作がなされれば無線電話装置１０３の通話モードを終了して本実施例の無線電話装置１０３の動作を終了し、通話終了動作がなされなければステップＳ６０１に戻って通話モードを継続する。
【００３７】
一方、ステップＳ５０２において、無線電話装置１０３がファクシミリ装置１０１に接続されたことを検出されれば、ステップＳ６０４において、無線電話装置１０３は通話モードを終了してファクシミリ装置１０１がファクシミリ通信できるようにデータ通信モードとなる。すなわち、無線電話装置１０３はデータ通信装置の無線アダプタ機能を動作させるためのデータ通信モードとなり、ＡＤＰＣＭコーデック２０３はマイク２０１、スピーカ２０２の入出力信号を遮断し、Ｇ３モデムと送受信するファクシミリ信号をコネクタ２１３、通信装置ｉ／ｆ部２１２から入出力する。そして、チャンネルコーデック２０４、無線通信部２０５、アンテナ２０６を使って、無線回線１０４を接続している。必要な場合には無線チャネルはファクシミリ信号が通信可能なモードで接続されるものとする。したがって、ファクシミリ装置１０１のＧ３モデムの動作により無線回線を使ったファクシミリ通信を行うことができる。以上により、本実施例の無線電話装置１０３の動作を終了する。
【００３８】
次に第一の実施例のファクシミリ装置１０１の動作は、まず、図７に示すステップＳ７０１において、無線電話装置１０３が接続されたかどうかを監視する。すなわち、コネクタ３１０が接続されているかいないかの検知や、無線電話装置ｉ／ｆ部３０９でやり取りする無線電話装置１０３からの信号の有無の検知、あるいは専用のメカ的なスイッチをコネクタ３１０に持ち前記の接続がそのスイッチのオン、オフに同期して動作するようにして検出するなどの方法の一部か全部で、無線電話装置１０３がファクシミリ装置１０１に接続されたかどうかを検出する。
【００３９】
ステップＳ７０１において、無線電話装置１０３が接続されたことを検出するとファクシミリ装置１０１は、ステップＳ７０２において、送信原稿がセットされたかどうかを検出する。すなわち、読み取り部３０５において例えば原稿センサのオン、オフ信号により送信原稿が読み取り部にセットされたかどうかを検出する。
【００４０】
ステップＳ７０２において、送信原稿がセットされたことを検出するとファクシミリ装置１０１は、ステップＳ７０３において、読み取り部３０５によって送信原稿を読み取り電子的なデータに変換した後にファクシミリ送信データに変換する。ファクシミリ送信データはＩＴＵ−Ｔ勧告Ｔ．４に準拠しても良いし、他の勧告に準拠したものでも良い。
【００４１】
そして、ステップＳ７０４において、ステップＳ７０３で得たファクシミリ送信データのファクシミリ送信を行う。すなわち、例えばＩＴＵ勧告Ｔ．３０にしたがって、ＣＮＧ送出から始める通常のＧ３ファクシミリ送信を無線電話装置１０３を介して行うものとする。具体的には、通信制御ユニット３０７のＧ３モデムのアナログ信号入出力線は無線電話装置ｉ／ｆ部３０９、無線電話装置１０３の通信装置ｉ／ｆ部２１２を通ってＡＤＰＣＭコーデック２０３に接続されている。無線電話装置１０３はデータ通信装置の無線アダプタ機能を動作させるためのデータ通信モードであるので、ＡＤＰＣＭコーデック２０３はマイク２０１、スピーカ２０２の入出力信号を遮断し、Ｇ３モデムと送受信するファクシミリ信号を入出力する。そして、チャンネルコーデック２０４、無線通信部２０５、アンテナ２０６を使って、無線回線１０４を接続している。無線チャネルはファクシミリ信号が通信可能なモードで接続されているものとする。したがって、Ｇ３モデムの動作により無線回線を使ったファクシミリ通信を行うことができる。以上により、本実施例のファクシミリ装置１０１の動作を終了する。
【００４２】
一方、ステップＳ７０２において、送信原稿がセットされたことを検出しなければファクシミリ装置１０１は、ステップＳ７０５において、例えばＲＡＭ３０３に送信データが蓄積されているかどうかを検出する。すなわち、あらかじめ読み取り部３０５により送信原稿が読み取られファクシミリ送信データに変換されてＲＡＭ３０３に蓄積されたり、他の外部入力により送信データが入力されてＲＡＭ３０３に蓄積されているかどうかを検出する。
【００４３】
ステップＳ７０５において、送信データが蓄積されていればファクシミリ装置１０１は前述したように、ステップＳ７０４において、ＲＡＭ３０３に蓄積されている送信データのファクシミリ送信を行い、本実施例のファクシミリ装置１０１の動作を終了する。
【００４４】
ここで、ステップＳ７０２，Ｓ７０３とステップＳ７０５を処理する順番は逆でも良い。すなわち、先にステップＳ７０５で送信データが蓄積されているかどうかを検出し、蓄積されていなければステップＳ７０２で送信原稿がセットされているかどうかを検出するようにしても良い。
【００４５】
一方、ステップＳ７０５において、送信データが蓄積されていることを検出できなければファクシミリ装置１０１は行うべき動作はファクシミリ送信ではなくファクシミリ受信であると判断し、ステップＳ７０６において、ファクシミリ受信を開始する。すなわち、例えばＩＴＵ勧告Ｔ．３０にしたがって、ＣＥＤ，ＤＩＳ送出から始める通常のＧ３ファクシミリ受信を無線電話装置１０３を介して行うものとする。無線電話装置１０３との接続と信号の経路は前述と同じとする。したがって、Ｇ３モデムの動作により無線回線を使ったファクシミリ通信を行うことができる。以上により、本実施例のファクシミリ装置１０１の動作を終了する。
【００４６】
以上のように、本発明の第一の実施例では、無線回線に接続して動作する通話機能を有すると共にデータ通信装置としてのファクシミリ装置に接続された時に無線アダプタとして動作する携帯可能な無線電話装置、前記無線電話装置と接続して無線回線にてデータ通信の一つとしてファクシミリ通信を行うファクシミリ装置において、無線電話装置が無線による呼を接続して通話中にファクシミリ装置に接続されるとファクシミリ装置はそれを検出し、ファクシミリ装置はその読み取り部にて送信原稿がセットされているかどうか、データ蓄積部に送信すべきデータが蓄積されているかを検出して、その検出結果によりセットされている送信原稿や蓄積されている送信データのファクシミリ送信動作を実施するか、あるいはファクシミリ受信動作を実施するかを判断して、その判断結果に基づいてファクシミリ通信を行うようにするので、無線電話装置の使用者が通話のために接続している呼を切断せずにそのままファクシミリ装置によるファクシミリ通信を行いたい時に無線電話装置をファクシミリ装置に接続するだけで、無線電話装置は自動的にデータ通信モードとなって無線電話装置を経由してファクシミリ通信ができるようになり、さらにファクシミリ装置は自動的にファクシミリ送信モードかファクシミリ受信モードとなってファクシミリ通信ができるようになり、無駄な操作を必要とすることなく容易に無線電話装置とファクシミリ装置を組み合わせたファクシミリ通信を実現することができる。
【００４７】
次に本発明の第二の実施例を説明する。
【００４８】
第二の実施例では第一の実施例の構成に加えて、ファクシミリ装置にはパーソナルコンピュータ装置が接続されていてパーソナルコンピュータから受け取ったデータを送信データとして無線電話装置を経由してファクシミリ送信する例を示す。
【００４９】
図８に第二の実施例の構成を示す。図１、図２、図３で説明した第一の実施例の構成に加えてパーソナルコンピュータ８０２はケーブル８０３によってファクシミリ装置８０１と接続されているものとする。
【００５０】
パーソナルコンピュータ８０２は一般に使われているデスクトップコンピュータやノートブックコンピュータ、携帯型のコンピュータなどであり、文書や写真、図、絵などのある適当なフォーマットのデータをその内部の蓄積手段で蓄積しているものとする。
【００５１】
ケーブル８０３はファクシミリ装置８０１とパーソナルコンピュータ８０２間でデータをやり取りするために接続されているものでありそのインターフェース形式は何でも良いが、Ｂｉ−Ｃｅｎｔｒｏｎｉｃｓインターフェース（ＩＥＥＥ−Ｐ１２８４規格準拠）やＵＳＢインターフェースが一般的である。無線を使ったインターフェースでもよい。
【００５２】
ファクシミリ装置８０１は第一の実施例の図３で説明した構成に加えて、パーソナルコンピュータ８０２と接続するための上記で説明したインターフェース形式の接続部を備えるものとする。
【００５３】
動作としては、パーソナルコンピュータ８０２は例えばその使用者の操作によって、ファクシミリ装置８０１からファクシミリ送信したいデータ（例えばビットマップデータ）をケーブル８０３を経由してファクシミリ装置８０１へ送る。ファクシミリ装置８０１はそのデータを受け取ってＲＡＭ３０３に蓄積する。そして、無線電話装置１０３がファクシミリ装置８０１に接続されるとファクシミリ装置８０１はそれを検出して、ＲＡＭ３０３に蓄積されているデータをＩＴＵ勧告Ｔ．４などのファクシミリデータに変換しながら無線電話装置１０３を経由してファクシミリ送信を行う。その他の動作は第一の実施例で説明したものと同じとする。
【００５４】
ここで、パーソナルコンピュータ８０２がファクシミリ装置８０１へ送るデータはファクシミリデータでも良い。この場合、パーソナルコンピュータ８０２は使用者が操作した時点で送信したいデータをファクシミリデータに変換してファクシミリ装置８０１へケーブル８０３を経由して送る。この時に、ファクシミリ装置８０１はパーソナルコンピュータ８０２から受け取ったデータを前記のように変換する必要無くファクシミリ送信することができる。
【００５５】
またここで、ファクシミリ装置８０１がパーソナルコンピュータ８０２から送信データを受け取っているときに無線電話装置１０３がファクシミリ装置８０１に接続されるとファクシミリ装置８０１はそれを検出して、ＲＡＭ３０３にすでに蓄積されているデータから順に無線電話装置１０３を経由してファクシミリ送信を行ってもよい。
【００５６】
以上のように、本発明の第二の実施例では、ファクシミリ装置に接続されているパーソナルコンピュータのデータを無駄な操作を必要とすることなく容易に無線電話装置とファクシミリ装置を組み合わせてファクシミリ送信することができる。
【００５７】
次に本発明の第三の実施例を説明する。
【００５８】
第三の実施例では第一の実施例の構成に加えて、ファクシミリ装置にはＬＡＮが接続されていて前記ＬＡＮにさらに接続されている複数のパーソナルコンピュータからＬＡＮを経由して受け取ったデータを送信データとして無線電話装置を経由してファクシミリ送信する例を示す。
【００５９】
図９に第三の実施例の構成を示す。図１、図２、図３で説明した第一の実施例の構成に加えてパーソナルコンピュータ９０２はＬＡＮ９０３によってファクシミリ装置９０１と接続されているものとする。
【００６０】
パーソナルコンピュータ９０２は第二の実施例で説明したものと同様の物とする。
【００６１】
ＬＡＮは一般に使われている１０ＢＡＳＥ−Ｔや１００ＢＡＳＥ−Ｔなどの形式のＬＡＮである。
【００６２】
ファクシミリ装置９０１は第一の実施例の図３で説明した構成に加えて、ＬＡＮ９０３と接続するための上記で説明したＬＡＮ形式の接続部を備えるものとする。
【００６３】
動作としては、パーソナルコンピュータ９０２は例えばその使用者の操作によって、ファクシミリ装置９０１からファクシミリ送信したいデータ（例えばビットマップデータ）をＬＡＮ９０３を経由してファクシミリ装置９０１へ送る。ファクシミリ装置９０１はそのデータを受け取ってＲＡＭ３０３に蓄積する。そして、無線電話装置１０３がファクシミリ装置９０１に接続されるとファクシミリ装置９０１はそれを検出して、ＲＡＭ３０３に蓄積されているデータをＩＴＵ勧告Ｔ．４などのファクシミリデータに変換しながら無線電話装置１０３を経由してファクシミリ送信を行う。その他の動作は第一の実施例で説明したものと同じとする。
【００６４】
ここで、パーソナルコンピュータ９０２がＬＡＮ９０３を経由してファクシミリ装置９０１へ送るデータはファクシミリデータでも良い。この場合、パーソナルコンピュータ９０２は使用者が操作した時点で送信したいデータをファクシミリデータに変換してファクシミリ装置９０１へケーブル９０３を経由して送る。この時に、ファクシミリ装置９０１はパーソナルコンピュータ９０２から受け取ったデータを前記のように変換する必要無くファクシミリ送信することができる。
【００６５】
またここで、ファクシミリ装置９０１がＬＡＮ９０３を経由してパーソナルコンピュータ９０２から送信データを受け取っているときに無線電話装置１０３がファクシミリ装置９０１に接続されるとファクシミリ装置９０１はそれを検出して、ＲＡＭ３０３にすでに蓄積されているデータから順に無線電話装置１０３を経由してファクシミリ送信を行ってもよい。
【００６６】
以上のように、本発明の第三の実施例では、ファクシミリ装置に接続されているＬＡＮを経由してさらにＬＡＮに接続されているパーソナルコンピュータのデータを無駄な操作を必要とすることなく容易に無線電話装置とファクシミリ装置を組み合わせてファクシミリ送信することができる。
【００６７】
第三の実施例ではファクシミリ装置が受け取るデータはＬＡＮにさらに接続されているパーソナルコンピュータからのデータであることを説明したが、例えばＬＡＮは構内ＬＡＮであってその構内ＬＡＮの外部、すなわちインターネットから送られてくるデータでも良い。
【００６８】
【発明の効果】
以上説明したように、請求項１記載の無線電話装置、データ通信装置によれば、無線回線に接続して動作する通話機能を有すると共にデータ通信装置に接続された時に無線アダプタとして動作する無線電話装置、前記無線電話装置と接続して無線回線にてデータ通信を行うデータ通信装置において、データ通信装置は通話中の無線電話装置が接続したことを検出し、かつ送信原稿がセットされていることを検出すると、送信原稿を読み取って送信データに変換して通話を行っていた相手へ送信するようにしたので、無線電話装置を通してデータ通信装置のデータ通信動作が煩雑な操作を必要とすることなく通話後に実行できるようになり、しかもデータ通信装置は通話中の無線電話機を接続するだけで送信原稿がセットされていることを検知してその送信原稿を読み取りファクシミリなどの送信データに変換してファクシミリ送信するなどデータ送信を煩雑な操作を必要とせず自動的に行うことができるので、大変便利な使い勝手の良い無線電話装置、データ通信装置を提供することが可能となる。
【００６９】
請求項２記載の無線電話装置、データ通信装置によれば、データ通信装置は通話中の無線電話装置が接続したことを検出し、かつ送信原稿がセットされていないことを検出すると、通話を行っていた相手からデータ受信動作を行うようにしたので、データ通信装置に無線電話機を接続するだけで送信原稿がセットされていないことを検知してファクシミリ受信などデータ受信を煩雑な操作を必要とせず自動的に行うことができるので、大変便利な使い勝手の良い無線電話装置、データ通信装置を提供することが可能となる。
【００７０】
請求項３記載の無線電話装置、データ通信装置によれば、無線電話装置が無線による呼を接続して通話中にデータ通信装置に接続されるとデータ通信装置はそれを検出し、かつ送信データが蓄積されていることを検出すると、蓄積されている送信データを通話を行っていた相手へ送信するようにしたので、通話中の無線電話装置を通してのデータ通信動作が煩雑な操作を必要とすることなく実行できるようになり、しかもデータ通信装置は通話中の無線電話機を接続するだけでファクシミリなどの送信データが蓄積されていることを検知してその送信データをファクシミリ送信するなどのデータ送信を煩雑な操作を必要とせず自動的に行うことができるので、大変便利な使い勝手の良い無線電話装置、データ通信装置を提供することが可能となる。
【００７１】
請求項４記載の無線電話装置、データ通信装置によれば、データ通信装置は通話中の無線電話装置が接続したことを検出し、かつ送信データが蓄積されていないことを検出すると、通話を行っていた相手からデータ受信動作を行うようにしたので、データ通信装置に無線電話機を接続するだけで送信データが蓄積されていないこと検知してファクシミリ受信するなどデータ受信を煩雑な操作を必要とせず自動的に行うことができるので、大変便利な使い勝手の良い無線電話装置、データ通信装置を提供することが可能となる。
【００７２】
請求項５記載のデータ通信装置によれば、蓄積された送信データはあらかじめ送信原稿読み取り部にて送信原稿を読み取り送信データに変換して蓄積した送信データであるようにしたので、ファクシミリ送信原稿などを送信原稿読み取り部にて読み取りデータ通信装置内に送信データとして蓄積した後にデータ通信装置に無線電話機を接続するだけでデータ通信装置は送信データが蓄積されていることを検知してその送信データをファクシミリ送信するなどデータ送信を煩雑な操作を必要とせず自動的に行うことができるので、大変便利な使い勝手の良いデータ通信装置を提供することが可能となる。
【００７３】
請求項６記載のデータ通信装置によれば、蓄積された送信データはデータ通信装置に接続するコンピュータのデータをあらかじめ蓄積した送信データであるようにしたので、データ通信装置は接続するコンピュータから送信データを受け取ってデータ通信装置内に蓄積した後にデータ通信装置に無線電話機を接続するだけでデータ通信装置は送信データが蓄積されていることを検知してその送信データをファクシミリ送信するなどデータ送信を煩雑な操作を必要とせず自動的に行うことができるので、大変便利な使い勝手の良いデータ通信装置を提供することが可能となる。
【００７４】
請求項７記載のデータ通信装置によれば、蓄積された送信データはデータ通信装置に接続するＬＡＮから受信したデータをあらかじめ蓄積した送信データであるようにしたので、データ通信装置は接続するＬＡＮを経由してコンピュータなどから送信データを受け取ってデータ通信装置内に蓄積した後にデータ通信装置に無線電話機を接続するだけでデータ通信装置は送信データが蓄積されていることを検知してその送信データをファクシミリ送信するなどデータ送信を煩雑な操作を必要とせず自動的に行うことができるので、大変便利な使い勝手の良いデータ通信装置を提供することが可能となる。
【００７５】
請求項８記載の無線電話装置によれば、通話モードの無線電話装置はデータ通信装置と接続されたことを検出する手段を有し、データ通信装置と接続されたことを検出するとデータ通信モードとなり、データ通信装置と接続されたことを検出しないと通話モードを維持するようにしたので、通話モードにある無線電話装置においてデータ通信装置との接続を検出できるようになり、さらにはデータ通信装置との接続の有無によってデータ通信モードに切り替えたり、通話モードを維持したり自動的にすることができるようになり、大変便利な使い勝手の良い無線電話装置を提供することが可能となる。
【図面の簡単な説明】
【図１】本発明の第一実施例による無線電話装置、ファクシミリ装置の構成図である。
【図２】本発明の各実施例による無線電話装置の内部ブロック図である。
【図３】本発明の各実施例によるファクシミリ装置の内部ブロック図である。
【図４】本発明の各実施例による無線電話装置、ファクシミリ装置の動作、信号シーケンス図である。
【図５】本発明の各実施例による無線電話装置、ファクシミリ装置の別の動作、信号シーケンス図である。
【図６】本発明の各実施例による無線電話装置の動作を示すフローチャートである。
【図７】本発明の各実施例によるファクシミリ装置の動作を示すフローチャートである。
【図８】本発明の第二実施例による無線電話装置、ファクシミリ装置、パーソナルコンピュータの構成図である。
【図９】本発明の第三実施例による無線電話装置、ファクシミリ装置、ＬＡＮの構成図である。
【符号の説明】
１０１  ファクシミリ装置
１０２  無線電話装置接続部
１０３  無線電話装置
１０４  無線回線
【図１】
2004320334.tif 000003
【図２】
2004320334.tif 000004
【図３】
2004320334.tif 000005
【図４】
2004320334.tif 000006
【図５】
2004320334.tif 000007
【図６】
2004320334.tif 000008
【図７】
2004320334.tif 000009
【図８】
2004320334.tif 000010
【図９】
2004320334.tif 000011